(57)【要約】      （修正有）【課題】スライド式転向ラチェットスパナを提供する。【解決手段】該本体１０の一端に駆動部１１が設けられ、該駆動部１１に使用者により把持される握持部１２が接続されている。該本体１０の該駆動部１１に、握持部１２の方向に向けて順に、第１収容部１３、第２収容部１４、及びスライド設置部１５が設けられている。ラチェット２０は本体１０の第１収容部１３内に回転可能に設けられ、ラチェット２０の中央に、固定部品を締めつけるための駆動部２１が設けられ、ラチェット２０の外周面に相互に接続された複数の歯２２が設けられ、ラチェット２０の外周面の１端に環状に凹溝２３が設けられる。Ｃ形スナップリング２４がラチェット２０の凹溝２３と本体１０の凹溝１３１の間に設けられ、これによりラチェット２０が本体１０の第１収容部１３内に結合され、並びに本体１０と相対回転関係を発生可能とする。【選択図】図２
0003146713.tif 000002
【実用新案登録請求の範囲】
【請求項１】
スライド式転向ラチェットスパナにおいて、
本体であって、一端の駆動部に、第１収容部、第２収容部及びスライド設置部があり、該スライド設置部と第２収容部間を連通させる切口があり、該スライド設置部と駆動部の外端間に段差がある、上記本体と、
ラチェットであって、回転可能に該本体の第１収容部内に設けられて外周に歯を具えた、上記ラチェットと、
二つの係止部材であって、スライド可能に該本体の第２収容部内の二端に設けられ、該二つの係止部材のラチェットに対向する一側に歯があり、該二つの係止部材の対向端の上面に案内部が設けられ、該二つの係止部材の間に弾性体が設けられた、上記二つの係止部材と、
転向部材であって、該本体のスライド設置部に横向きにスライド可能に設置され、該転向部材の一端に該二つの係止部材の二つの案内部に対応する方向制御部が設けられ、該方向制御部が該スライド設置部の切口より第２収容部内に延伸され該方向制御部が選択的に該係止部材の案内部を駆動し、該係止部材の歯をラチェットの歯より分離させる、上記転向部材、
を包含したことを特徴とする、スライド式転向ラチェットスパナ。
【請求項２】
請求項１記載のスライド式転向ラチェットスパナにおいて、該本体の第１収容部の内周面の一端に凹溝が環状に設けられ、該ラチェットの外周の一端に環状に凹溝が設けられ、Ｃ形スナップリングがこれら二つの凹溝間に設置されて、該ラチェットが該本体の第１収容部に結合されたことを特徴とする、スライド式転向ラチェットスパナ。
【請求項３】
請求項１記載のスライド式転向ラチェットスパナにおいて、該本体のスライド設置部と第１収容部の間に非中空の連接部が形成されたことを特徴とする、スライド式転向ラチェットスパナ。
【請求項４】
請求項１記載のスライド式転向ラチェットスパナにおいて、該転向部材が中間位置にある時、該転向部材の方向制御部が該二つの係止部材の案内部を駆動せず、該二つの係止部材の歯がそれぞれラチェットの歯に噛み合うことを特徴とする、スライド式転向ラチェットスパナ。
【請求項５】
請求項１記載のスライド式転向ラチェットスパナにおいて、該スライド設置部に固定孔が設けられ、該転向部材の別端に位置決め孔が設けられ、位置決め装置が該位置決め孔に通されて該本体の固定孔に結合されたことを特徴とする、スライド式転向ラチェットスパナ。
【請求項６】
請求項５記載のスライド式転向ラチェットスパナにおいて、該位置決め孔は階段穿孔とされ、該位置決め孔内に隣り合う、第１位置決め凹部、第２位置決め凹部及び第３位置決め凹部が設けられ、該位置決め装置がそのうち一つの位置決め凹部に嵌入して転向部材が位置決めされ、該転向部材が少なくとも三つの操作位置間で移動可能とされたことを特徴とする、スライド式転向ラチェットスパナ。
【請求項７】
請求項５又は６記載のスライド式転向ラチェットスパナにおいて、該位置決め装置は固定ピンと位置決め部品を包含し、該固定ピンが該位置決め部品、及び該位置決め孔及び該固定孔を通り、該位置決め部品はそのうち一つの位置決め凹部に嵌入することを特徴とする、スライド式転向ラチェットスパナ。
【請求項８】
請求項１記載のスライド式転向ラチェットスパナにおいて、該方向制御部が、開口端が狭く閉口端が広いＵ形凹溝とされたことを特徴とする、スライド式転向ラチェットスパナ。
【請求項９】
請求項１記載のスライド式転向ラチェットスパナにおいて、該方向制御部の二外端角間の距離が、該二つの係止部材の自然状態での二つの案内部間の距離より大きいことを特徴とする、スライド式転向ラチェットスパナ。
【請求項１０】
請求項１記載のスライド式転向ラチェットスパナにおいて、該ラチェットの中央に駆動部が設けられ、該駆動部が固定部品の締めつけに供されることを特徴とする、スライド式転向ラチェットスパナ。
【請求項１１】
請求項１記載のスライド式転向ラチェットスパナにおいて、該二つの係止部材の上面のの案内部の周囲に凹部が設けられたことを特徴とする、スライド式転向ラチェットスパナ。
【請求項１２】
請求項１記載のスライド式転向ラチェットスパナにおいて、該二つの係止部材の対向端にそれぞれ孔が設けられ、該弾性体がこれら二つの孔間に設置されて、該二つの係止部材の間が弾性を有することを特徴とする、スライド式転向ラチェットスパナ。
【請求項１３】
請求項１記載のスライド式転向ラチェットスパナにおいて、該ラチェットにスリーブと結合される駆動部が設けられ、該駆動部内に嵌止装置が設けられ、該スリーブが該駆動部に嵌止されることを特徴とする、スライド式転向ラチェットスパナ。
【請求項１４】
請求項１記載のスライド式転向ラチェットスパナにおいて、該ラチェットにスリーブと結合される駆動部が設けられ、該ラチェット内にクイック嵌止装置が設けられ、該スリーブと該駆動部間の相対移動関係が選択的に制限されることを特徴とする、スライド式転向ラチェットスパナ。
【請求項１５】
請求項１３又は１４記載のスライド式転向ラチェットスパナにおいて、該駆動部が方形ヘッドとされたことを特徴とする、スライド式転向ラチェットスパナ。
【考案の詳細な説明】
【技術分野】
【０００１】
本考案は一種のラチェットスパナに係り、特に一種のスライド式転向ラチェットスパナに関する。
【背景技術】
【０００２】
特許文献１によると、ラチェットスパナはスパナ本体、ラチェットホイール、制動ブロック及び方向制御構造を包含する。該スパナ本体の頭部には収容室、制動溝及び方向制御溝が設けられ、該収容室及び制動溝はそれぞれラチェットホイール及び制動ブロックを収容し、該方向制御溝の背部に左右の圧接溝が設けられている。該方向制御構造は方向制御ブロック及び弾性圧接装置を包含し、該方向制御ブロックに位置決め溝と収容孔が設けられ、該位置決め溝はカバー片を収容し圧接溝を位置決めする効果を達成し、該収容孔は弾性圧接装置を収容し、制動ブロックの背面に、二つの制動部が設けられ、弾性圧接装置による圧接を受ける。
【０００３】
【特許文献１】台湾特許公告第５２４１７４号明細書
【考案の開示】
【考案が解決しようとする課題】
【０００４】
上記周知のラチェットスパナは２方向回転の機能を有するが、使用者が固定部品に対して締めつけの微調整を行なう場合、不断に固定部品を締めつけるか、或いは緩めて、適当な締めつけ具合に調整しなければならず、使用者は頻繁に方向制御ブロックを切り換えてラチェットスパナの回転方向を変更しなければならず、操作使用上、手間、時間がかかり、速やかに締めつけの微調整が行なえず、並びに業者の使用要求に符合しない。
【課題を解決するための手段】
【０００５】
本考案はスライド式転向ラチェットスパナを提供し、それは、一端の駆動部に、第１収容部、第２収容部及びスライド設置部があり、該スライド設置部と第２収容部間を連通させる切口があり、該スライド設置部と駆動部の外端間に段差がある本体；回転可能に該本体の第１収容部内に設けられて外周に歯を具えたラチェット；二つの係止部材であって、スライド可能に該本体の第２収容部内の二端に設けられ、該二つの係止部材のラチェットに対向する一側に歯があり、該二つの係止部材の対向端の上面に案内部が設けられた、上記二つの係止部材；転向部材であって、該本体のスライド設置部に横向きにスライド可能に設置され、該転向部材の一端に該二つの係止部材の二つの案内部に対応する方向制御部が設けられ、該方向制御部が該スライド設置部の切口より第２収容部内に延伸され該方向制御部が選択的に該係止部材の案内部を駆動し、該係止部材をラチェットの歯より分離させる。
【考案の効果】
【０００６】
本考案は上述のラチェットスパナが、２方向の回転機能を有するが、固定式スパナとして使用できず、固定部品に対して締めつけの微調整を行なう時に、頻繁に制御部材の切り換えを行なってラチェットスパナの回転方向を変更しなければならず、操作使用上、手間と時間がかかり不便であるという問題を解決する。
【考案を実施するための最良の形態】
【０００７】
図１、２を参照されたい。本考案のスライド式転向ラチェットスパナの好ましい実施例は、本体１０、ラチェット２０、二つの係止部材３０、転向部材４０を包含する。
【０００８】
該本体１０の一端に駆動部１１が設けられ、該駆動部１１に使用者により握持される握持部１２が接続されている。該本体１０の該駆動部１１に、握持部１２の方向に向けて順に、第１収容部１３、第２収容部１４、及びスライド設置部１５が設けられている。該第２収容部１４は該第１収容部１３とスライド設置部１５の間に位置し、並びに該第１収容部１３とスライド設置部１５に接している。該第１収容部１３は円形穿孔であり、その内周面の一端に凹溝１３１を有する。該第２収容部１４は円弧溝とされ、該第２収容部１４の一端は第１収容部１３に連通する。該スライド設置部１５は該駆動部１１の外端に設けられ、且つ該駆動部１１の外端との間に段差を形成している。該スライド設置部１５に該第２収容部１４の別端と連通する切口１５１が設けられ、該スライド設置部１５の中央に固定孔１５２が設けられている。該スライド設置部１５と第１収容部１３の間に、非中空の連接部１６が設けられている。
【０００９】
該ラチェット２０は本体１０の第１収容部１３内に回転可能に設けられ、該ラチェット２０の中央に、固定部品を締めつけるための駆動部２１が設けられ、該ラチェット２０の外周面に相互に接続された複数の歯２２が設けられ、該ラチェット２０の外周面の１端に環状に凹溝２３が設けられる。図４も共に参照されたい。Ｃ形スナップリング２４がラチェット２０の凹溝２３と本体１０の凹溝１３１の間に設けられ、これによりラチェット２０が本体１０の第１収容部１３内に結合され、並びに本体１０と相対回転関係を発生可能とされる。
【００１０】
該二つの係止部材３０は、スライド可能に本体１０の第２収容部１４内の２端に設けられ、該二つの係止部材３０のラチェット２０に対向する１側に、歯２２に対応する複数の歯３１が設けられ、該二つの係止部材３０の対向端の上面に、案内部３２と該案内部３２の周囲の凹部３３が設けられ、該二つの係止部材３０の対向端にそれぞれ孔３４が設けられ、弾性体３５がこれら孔３４間に設けられ、これにより二つの係止部材３０間が弾性を具備するものとされる。
【００１１】
該転向部材４０は横向きにスライド可能に本体１０のスライド設置部１５内に枢設され、該転向部材４０の一端の内側に、該二つの係止部材３０の二つの案内部３２に対応する方向制御部４１が設けられ、該方向制御部４１はスライド設置部１５の切口１５１より突出して第２収容部１４内に進入している。該転向部材４０の別端に位置決め孔４２が設けられ、該位置決め孔４２に、隣り合う第１位置決め凹部４２１、第２位置決め凹部４２２、及び第３位置決め凹部４２３が設けられている。位置決め装置４３が転向部材４０の位置決め孔４２を通り本体１０の固定孔１５２に結合され、これにより該転向部材４０が本体１０に結合され、且つ切口１５１が閉じられる。該位置決め装置４３は固定ピン４３１と位置決め部品４３２を包含し、該固定ピン４３１は位置決め部品４３２、該転向部材４０の位置決め孔４２及び本体１０の固定孔１５２を通り、該位置決め部品４３２は転向部材４０のそのうち一つの位置決め凹部内に嵌入し、こうして転向部材４０を位置決めする。第１実施例中、該方向制御部４１は開口端が狭く閉口端が広いＵ形凹溝とされ、該位置決め孔は階段穿孔とされる。
【００１２】
図５を参照されたい。該転向部材４０の方向制御部４１の幅（即ちそのつ二外端角間の距離）は該二つの係止部材３０の自然状態（即ち、案内部３２が方向制御部４１に駆動されていない状態）での二つの案内部３２間の距離よりやや大きい。このとき、該転向部材４０は第２操作位置（中間位置）に位置し、該位置決め装置４３の位置決め部品４３２は転向部材４０の第２位置決め凹部４２２内に嵌入し、該転向部材４０の方向制御部４１は第２収容部１４の中間に位置する。該転向部材４０の方向制御部４１の二外端角は該二つの係止部材３０の凹部３３内に進入し、この二つの係止部材３０の二つの案内部３２はいずれも方向制御部４１の駆動を受けないため、該二つの係止部材３０はそれぞれ第２収容部１４の壁面に当接し、該二つの係止部材３０の歯３１はそれぞれラチェット２０の歯２２に噛み合う。この時、該ラチェット２０は本体１０と相対回転関係を形成不能で、該スライド式転向ラチェットスパナは固定式スパナと同様に、正、逆時計まわりに固定部品を回すことができる。
【００１３】
図６に示されるように、該転向部材４０が駆動されて第３操作位置に至ると、該位置決め装置４３の位置決め部品４３２は転向部材４０の第３位置決め凹部４２３内に嵌入する。該転向部材４０の方向制御部４１は右側の係止部材３０の案内部３２を駆動し、右側の係止部材３０の歯３１はこれによりラチェット２０の歯２２より分離する。左側の係止部材３０は転向部材４０により未駆動で、第２収容部１４の壁面に当接し、このとき、ラチェットスパナは逆時計周りに固定部品を回すことができる。
【００１４】
図７を参照されたい。該転向部材４０は駆動されて第１操作位置に位置し、該位置決め装置４３の位置決め部品４３２は転向部材４０の第１位置決め凹部４２１内に嵌入している。該転向部材４０の方向制御部４１は左側係止部材３０の案内部３２を駆動し、左側係止部材３０の歯３１をラチェット２０の歯２２より分離させる。右側の係止部材３０は転向部材４０により駆動されておらず、第２収容部１４の壁面に当接し、このとき、該ラチェットスパナは時計周りに固定部品を回すことができる。該転向部材４０は少なくとも三つの操作位置間で移動可能である。
【００１５】
注意すべきことは、以下のとおりである。すなわち、該転向部材４０の方向制御部４１の幅は該二つの係止部材３０の自然状態での二つの案内部３２間の距離より大きく、これにより、転向部材４０が第２操作位置にある時、該二つの係止部材３０の二つの案内部３２は方向制御部４１の駆動を受けず、該スライド式転向ラチェットスパナは固定式スパナとして使用され、こうしてラチェットスパナの実用性と便利性を高められる。
【００１６】
図８は本考案の第２実施例であり、第１実施例とほぼ同じであるが、違いは該ラチェット２０’の形態上の変更にある。該ラチェット２０’の外周に歯２２’及び凹溝２３’が環状に設けられ、該ラチェット２０’の別端に、スリーブ（図示せず）が結合される駆動部２１’が設けられ、該駆動部２１’内にクイック嵌止装置２５’が設けられ、該クイック嵌止装置２５’はスリーブと駆動部２１’間の相対移動関係を選択的に制限できる。該ラチェット２０’の凹溝２３’と本体１０の凹溝１３１間にＣ形スナップリング２４’が設けられ、該ラチェット２０’は回転可能に本体１０の第１収容部１３内に結合される。この実施例中、該駆動部２１’は方形ヘッドとして実施される。
【００１７】
図９は本考案の第３実施例を示し、該第３実施例と第１実施例はほぼ同じであり、その違いは、第４実施例のラチェット２０”の形態上の変更にある。該ラチェット２０”の外周面に環状に歯２２”と凹溝２３”が設けられ、該ラチェット２０”の別端にスリーブ（図示せず）が結合される駆動部２１”が設けられ、該ラチェット２０”内に嵌止装置２５”が設けられ、該嵌止装置２５”は駆動部２１”に結合されたスリーブの固定に供される。該ラチェット２０”の凹溝２３”と本体１０の凹溝１３１間にＣ形スナップリング２４”が設けられ、これにより、該ラチェット２０”が回転可能に本体１０の第１収容部１３内に結合される。該第３実施例中の該駆動部２１”は方形ヘッドとして実施される。
【図面の簡単な説明】
【００１８】
【図１】本考案の第１実施例の立体組合せ図である。
【図２】本考案の第１実施例の立体分解図である。
【図３】本考案の転向部材の下からの斜視図である。
【図４】図１の４−４線断面図である。
【図５】図１の５−５線断面図であり、転向部材が第２操作位置にある状態を示す。
【図６】図５に関係し、転向部材が第３操作位置にある状態を示す。
【図７】図５に関係し、転向部材が第１操作位置にある状態を示す。
【図８】本考案の第２実施例の横向き断面図である。
【図９】本考案の第３実施例の縦向き断面図である。
【符号の説明】
【００１９】
１０  本体        １１  駆動部      １２  握持部      １３  第１収容部
１３１  凹溝      １４  第２収容部  １５  スライド設置部  １５１  切口
１５２  固定孔    １６  連接部      ２０  ラチェット    ２１  駆動部
２２  歯          ２３  凹溝        ２４  Ｃ形スナップリング
３０  係止部材    ３１  歯          ３２  案内部        ３３  凹部
３４  孔          ３５  弾性体      ４０  転向部材
４１  方向制御部    ４２  位置決め孔        ４２１  第１位置決め凹部
４２２  第２位置決め凹部                    ４２３  第３位置決め凹部
４３  位置決め装置            ４３１  ピン        ４３２  位置決め部品
２０’ラチェット              ２１’駆動部        ２２’歯
２３’凹溝        ２４’Ｃ形スナップリング
２５’クイック嵌止装置    ２０”ラチェット  ２１”駆動部      ２２”歯
２３”凹溝        ２４”Ｃ形スナップリング            ２５”嵌止装置
【図１】
0003146713.tif 000003
【図２】
0003146713.tif 000004
【図３】
0003146713.tif 000005
【図４】
0003146713.tif 000006
【図５】
0003146713.tif 000007
【図６】
0003146713.tif 000008
【図７】
0003146713.tif 000009
【図８】
0003146713.tif 000010
【図９】
0003146713.tif 000011